(57)【要約】【課題】現場で硬質ポリウレタンフォームを発泡充填して軽量盛土を構築する場合に、壁体の変形や倒れの発生を防止でき、強度低下のない軽量盛土の施工方法を提供すること。【解決手段】支柱１４を囲んで仕切り部材１７を設けて硬質ポリウレタンフォーム１９の入り込みを防止するようにして硬質ポリウレタンフォーム１９の収縮の影響が支柱１４に及ばないようにし、壁体１３の軽量盛土側の面には縁切り材１８を設けて壁体１３と硬質ポリウレタンフォーム１９とが全く接着しないか、接着しても剥せるようにしておき、これら仕切り部材１７および縁切り材１８と地山１１との間に硬質ポリウレタンフォーム１９を発泡充填し、体積の大きい硬質ポリウレタンフォーム１９の収縮の影響が壁体１３や支柱１４に及ばないようにしてこの硬質ポリウレタンフォーム１９だけで軽量盛土を構成したり、さらに、この収縮による隙間を含む隙間２０に第２の硬質ポリウレタンフォーム１９ａを発泡充填して壁体１３と接着一体化して硬質ポリウレタンフォーム１９，１９ａで軽量盛土とする。【選択図】      図２
2004225495.tif 000002
【特許請求の範囲】
【請求項１】
壁体と、硬質ポリウレタンフォームからなる軽量盛土と、前記壁体を軽量盛土側で支える支柱とからなる軽量盛土構造を構築するに際し、前記壁体を支える前記支柱を囲んで仕切り部材を設けるとともに、前記壁体の軽量盛土側の面、又は前記壁体の軽量盛土側の面及び前記仕切り部材を覆うように縁切り材を設け、前記仕切り部材及び前記縁切り材の前記軽量盛土側、又は前記縁切り材の前記軽量盛土側に前記軽量盛土となる硬質ポリウレタンフォームを発泡充填したことを特徴とする軽量盛土の施工方法。
【請求項２】
前記壁体を支える前記支柱を設けた後、前記仕切り部材を設ける前に当該支柱の凹部に硬質ポリウレタンフォームを発泡充填することを特徴とする請求項１記載の軽量盛土の施工方法。
【請求項３】
前記硬質ポリウレタンフォームを発泡充填したのち、この硬質ポリウレタンフォームの収縮によって形成される隙間に第２の硬質ポリウレタンフォームを発泡充填したことを特徴とする請求項１または２記載の軽量盛土の施工方法。
【請求項４】
前記仕切り部材を硬質ウレタンボードで構成する一方、前記縁切り材をポリエチレンシートで構成したことを特徴とする請求項１〜３のいずれかに記載の軽量盛土の施工方法。
【発明の詳細な説明】
【０００１】
【発明の属する技術分野】
この発明は、軽量盛土の施工方法に関し、道路などの拡幅に必要な盛土として硬質ポリウレタンフォームを現場で発泡させて構築する場合に硬質ポリウレタンフォームの収縮の影響が壁体および支柱に及ばないようにしたものである。
【０００２】
【従来の技術】
従来、道路の拡幅や急傾斜地への道路の建設などを行う場合には、土を盛り上げる盛土が行われていたが、盛土の荷重軽減や土圧軽減を図るために、盛土材として発泡ポリスチレンブロックを積み重ねる工法や現場で硬質ポリウレタンフォームを発泡する軽量盛土工法が提案されており、土やコンクリートを用いる場合の１／５０〜１／２００に軽量化することができ、特に軟弱地盤上や急傾斜地の盛土として利用されている。
【０００３】
このような軽量盛土工法のうち、現場発泡の硬質ポリウレタンフォームを盛土材とする場合には、接着性に優れるとともに、現場で発泡させるため地形に対する形状対応性や液状材料の輸送だけで済むことから経済性にも優れるという特徴がある。
【０００４】
通常、この現場発泡の硬質ポリウレタンフォームで軽量盛土を構築する場合には、盛土の壁面となる位置に壁体を設け、この壁体と地山との間に現場で硬質ポリウレタンフォームを、１回に数十ｍｍ程度の仕上がり発泡厚さになるように吹き付けて層状に発泡し、これを繰り返して所定高さまで発泡成形するようにしており、壁体は重量構造物に対応した基礎を構築した後、この基礎上に支柱としてのＨ型鋼、Ｃ型鋼、Ｌ型鋼等の鋼材を立設し、この支柱に壁材としての厚さ５０ｍｍ程度のＰＣ板や押出成型セメント板等を取り付けて構成されている。
【０００５】
例えば特許文献１の軽量盛土構造では、支柱に取り付けて壁体とする壁面材の発泡体側表面に切削による接着用粗面を設けておき、発泡体の発泡時の接着性により壁面材と結合させるようにしており、不測の事故などにより壁面材が壊れて飛散し難くすることが開示されている。
【０００６】
このような盛土の壁面を形成する位置に壁体や壁面材を設置するために重量構造物に対応した基礎工事を行うと、多くの工期と費用を要することから、最近では、基礎を簡易で軽量な構造とすることが行われている。
【０００７】
【特許文献１】
特開２００２−４２８８号公報
【０００８】
【発明が解決しようとする課題】
ところが、基礎を簡易で軽量な構造にした場合には、壁体の壁材や支柱に接着した硬質ポリウレタンフォームの収縮によって壁体が変形したり、傾いてしまうという問題があり、特に特許文献１のように壁面材の内側に接着用粗面を形成して発泡体との接着性を向上すると、施工過程で生じる硬質ポリウレタンフォームの収縮による壁面材の変形や傾きの問題が一層顕著になる。
【０００９】
一般に、硬質ポリウレタンフォームが発泡・硬化・熟成する過程において、フォームの内部温度が最高１５０℃程度まで達し、その後、時間の経過とともに徐々に雰囲気温度まで低下する。一方、硬質ポリウレタンフォーム自体の線膨張係数が５×１０−５／Ｋであることから、温度変化によりフォームに収縮が起こり、例えば長さ１０ｍのフォームで内部最高温度が１５０℃まで達し、その後２５℃まで低下した場合には約１００ｍｍの収縮が起こることになる。
【００１０】
このため壁体の支柱がＨ型鋼等で比較的強固とされ、壁材が軽量なものとしてある場合には、壁体と一体化したフォームの収縮により、壁材が引っ張られて変形する恐れがあり、また、支柱もＬ型鋼などで比較的軽量構造とされた場合には、同様に壁体の支柱および壁材と一体化したフォームの収縮によって支柱および壁材が共に変形して傾いてしまうという問題がある。
【００１１】
この発明は、かかる従来技術の問題点に鑑みてなされたもので、現場で硬質ポリウレタンフォームを発泡充填して軽量盛土を構築する場合に、壁体の構造にかかわらず、壁体の変形や倒れの発生を防止することができ、強度上の問題のない軽量盛土の施工方法を提供しようとするものである。
【００１２】
【課題を解決するための手段】
上記従来技術が有する課題を解決するため、この発明の請求項１記載の軽量盛土の施工方法は、壁体と、硬質ポリウレタンフォームからなる軽量盛土と、前記壁体を軽量盛土側で支える支柱とからなる軽量盛土構造を構築するに際し、前記壁体を支える前記支柱を囲んで仕切り部材を設けるとともに、前記壁体の軽量盛土側の面、又は前記壁体の軽量盛土側の面及び前記仕切り部材を覆うように縁切り材を設け、前記仕切り部材及び前記縁切り材の前記軽量盛土側、又は前記縁切り材の前記軽量盛土側に前記軽量盛土となる硬質ポリウレタンフォームを発泡充填したことを特徴とするものであり、この軽量盛土の施工方法によれば、支柱を囲んだ仕切り部材で硬質ポリウレタンフォームが支柱部分に入り込まないようにして収縮の影響が支柱に及ばないようにするとともに、壁体の軽量盛土側の面、又は壁体の軽量盛土側の面及び仕切り部材を覆うように設けた縁切り材で硬質ポリウレタンフォームが接着しないように（全く接着しないか、接着しても剥がせるように）し、これら仕切り部材及び縁切り材の軽量盛土側、又は縁切り材の軽量盛土側に、軽量盛土となる硬質ポリウレタンフォームを発泡充填して壁体及び支柱とこの硬質ポリウレタンフォームとが接着しないようにして体積の大きい（壁体に対する引っ張り方向の長さの長い）硬質ポリウレタンフォームの収縮の影響が壁体及び支柱に及ばないようにした。
【００１３】
また、この発明の請求項２記載の軽量盛土の施工方法は、請求項１記載の構成に加え、前記壁体を支える前記支柱を設けた後、前記仕切り部材を設ける前に当該支柱の凹部に硬質ポリウレタンフォームを発泡充填することを特徴とするものであり、この軽量盛土の施工方法によれば、あらかじめ支柱の凹部に硬質ポリウレタンフォームを発泡充填することで、支柱部分の隙間をなくすことができ、しかも発泡充填も容易に行うことができるようになる。
【００１４】
さらに、この発明の請求項３記載の軽量盛土の施工方法は、請求項１または２記載の構成に加え、前記硬質ポリウレタンフォームを発泡充填したのち、この硬質ポリウレタンフォームの収縮によって形成される隙間に第２の硬質ポリウレタンフォームを発泡充填したことを特徴とするものであり、この軽量盛土の施工方法によれば、収縮によって形成された隙間、あるいはこの収縮によって形成された隙間に縁切り材及び／または仕切り部材を取り除くことで形成された隙間を加えた隙間に、体積の極小さい（壁体に対する引っ張り方向の長さの極短い）第２の硬質ポリウレタンフォームを発泡充填したので、硬質ポリウレタンフォーム全体と壁体とをより一層強固に接着一体化することができる。
ここで、第２の硬質ポリウレタンフォームを発泡充填する場合の隙間とは、第１の硬質ポリウレタンフォームまたは仕切り部材と壁体との隙間、第１の硬質ポリウレタンフォームまたは仕切り部材と支柱との隙間、第１の硬質ポリウレタンフォームまたは仕切り部材と壁体および支柱との隙間の３つの場合がある。
【００１５】
また、この発明の請求項４記載の軽量盛土の施工方法は、請求項１〜３のいずれかに記載の構成に加え、前記仕切り部材を硬質ウレタンボードで構成する一方、前記縁切り材をポリエチレンシートで構成したことを特徴とするものであり、この軽量盛土の施工方法によれば、仕切り部材を発泡充填する硬質ポリウレタンフォームと同一の素材とすることで軽量盛土全体を均一な素材にするようにし、縁切り材をポリエチレンシートとすることで取付施工を容易とするとともに、硬質ポリウレタンフォームからの剥離も容易とし、形成される隙間に第２の硬質ポリウレタンフォームを発泡充填する準備を簡単にできるようにしている。
【００１６】
【発明の実施の形態】
以下、この発明の軽量盛土の施工方法の一実施の形態について図面に基づき詳細に説明する。
図１〜図３は、この発明の軽量盛土の施工方法の一実施の形態にかかり、図１は前半の２工程の説明図、図２は中間の２工程の説明図、図３は最終工程の説明図である。
【００１７】
この軽量盛土の施工方法が適用される軽量盛土構造とは、第１に、壁体１３と、硬質ポリウレタンフォーム１９とからなる軽量盛土と、軽量盛土を構成する硬質ポリウレタンフォーム１９に埋設されて壁体１３を支える支柱１４を備えた構造、第２に、壁体１３と、硬質ポリウレタンフォーム１９，１９ａとからなる軽量盛土と、軽量盛土を構成する硬質ポリウレタンフォーム１９，１９ａに埋設されて壁体１３を支える支柱１４を備えた構造、第３に、壁体１３と、硬質ポリウレタンフォーム１９，１９ｂとからなる軽量盛土と、軽量盛土を構成する硬質ポリウレタンフォーム１９，１９ｂに埋設されて壁体１３を支える支柱１４を備えた構造と、第４に、壁体１３と、硬質ポリウレタンフォーム１９，１９ａ，１９ｂとからなる軽量盛土と、軽量盛土を構成する硬質ポリウレタンフォーム１９，１９ａ，１９ｂに埋設されて壁体１３を支える支柱１４を備えた構造の４つの構造をいう。
なお、図面には、硬質ポリウレタンフォーム１９，１９ａのみを示し、硬質ポリウレタンフォーム１９ｂは発泡充填すべき場所に記号を付し、発泡充填状態は図示省略してある。
【００１８】
この軽量盛土の施工方法では、例えば地山１１の谷側に道路を拡幅する場合には、地山１１の法面（傾斜面）とこれに続く軽量盛土を構築する地盤１２を掘削するなどで基礎工事を行い、図１（ａ）に示すように、拡幅すべき道路の幅に応じた間隔を地山１１との間にあけて軽量盛土の壁面を形成する壁体１３を立設する。
【００１９】
この壁体１３は拡幅すべき道路に必要な高さに構築され、例えば支柱１４としてＨ型鋼、Ｃ型鋼、Ｌ型鋼等の鋼材を用い、これら支柱１４の外側に壁材１５としてＰＣ板や軽量押出成形セメント板等を取り付けて構築され、従来の重量構造物に対する大掛かりな基礎とこれに立設される強固な壁体に比べ、簡易で軽量な壁体１３となっている。そして、この壁体１３と地山１１との間の地盤１２上には、排水層１６が設けられ、例えば合成樹脂繊維をへちま状にした排水シートを一定間隔で敷設したり、不織布や孔の開いたホースと砂利等を敷設したり、これらを組み合わせて敷設して構築される。
【００２０】
この後、支柱１４の内側に軽量盛土となる硬質ポリウレタンフォームが入り込まないようにする仕切り部材１７が設置されるとともに、少なくとも壁材１５の内側（軽量盛土側）に軽量盛土となる硬質ポリウレタンフォームと壁材１５の内側面とが接着しない（全く接着しないか、接着しても剥がせる）縁切り材１８が設置される。
ここで、支柱１４を設置後、仕切り部材１７の設置前に支柱１４の凹部１４ａ、たとえばＨ型鋼のフランジの間のウエブの両側の空間やＣ型鋼の内側の空間などに、あらかじめ硬質ポリウレタンフォーム１９ｃを発泡充填するようにしても良く、支柱１４部分の隙間をなくすことができるとともに、狭い空間への発泡充填を容易に行うことができる。この支柱１４の凹部１４ａへの硬質ポリウレタンフォームの発泡充填を第２の硬質ポリウレタンフォーム１９ａの発泡充填時に行うようにしても良い。
なお、図面には、硬質ポリウレタンフォーム１９，１９ａのみを示し、硬質ポリウレタンフォーム１９ｃは発泡充填すべき場所に記号を付し、発泡充填状態は図示省略してある。
【００２１】
また、この縁切り材１８を、さらに仕切り部材１７の表面を覆うように設置し、壁体１３の内側面全体に縁切り材１８を設置するようにしても良く、ポリエチレンシートなどのシート状の縁切り材１８を用いる場合に全面に取り付けることで取付作業を連続して行うことで効率的に行うことができる。
【００２２】
これら仕切り部材１７および縁切り材１８の高さは、軽量盛土とする現場発泡の硬質ポリウレタンフォームの１日分の発泡充填厚さに対応するように設置され、１日分の発泡層の厚さと同等乃至それ以上とし、好ましくは現場での吹き付け後の発泡により膨らんでも乗り越えないように余裕のある高さとされ、例えば発泡層の厚さの１．０〜１．５倍の高さが好ましい。
【００２３】
支柱１４の外側（軽量盛土側）を囲んで硬質ポリウレタンフォームが入り込まないようにする仕切り部材１７は、硬質ポリウレタンフォームの現場での吹き付け後の発泡により膨らんでもその発泡圧力に耐えることができるものが用いられる。
【００２４】
この仕切り部材１７としては、例えば硬質ポリウレタンフォームのボード（硬質ウレタンボード）や合板、またはダンボール等をあげることができるが、硬質ウレタンボードとすれば、軽量盛土となる現場発泡の硬質ポリウレタンフォームと仕切り部材１７とを接着させ、一体構造とすることができる。
【００２５】
また、硬質ポリウレタンフォームを、壁体１３を構成する壁材１５に、あるいは壁材１５および仕切り部材１７に、接着させない（全く接着しないか、接着しても剥がせる）縁切り材１８としては、その後現場で発泡充填される硬質ポリウレタンフォーム１９を収縮させた後、縁切り材１８を取り除くか、そのままにして軽量盛土に埋設するかによって異なる構成のものが使用され、例えば図示例のように縁切り材１８を取り除く場合には、硬質ポリウレタンフォーム１９に対して離型性のあるものが用いられ、例えば離型用シートのみを壁材１５に接着テープなどで仮止めして取り付けるようにする。
【００２６】
この場合の離型用シートとしては、硬質ポリウレタンフォームが接着しないものであれば良く、ポリエチレンシート、ポリプロピレンシート、フッ素系シートなどを用いることができ、破れない丈夫なものが好ましく、厚さは０．１ｍｍ以上、好ましくは０．２ｍｍ以上のものが用いられる。
【００２７】
なお、縁切り材１８としては、取り除くものとして硬質ポリウレタンフォームのボードや合板、またはダンボール等に離型用シートが張り付けられたもの、あるいは取り除かずに埋設するものとして硬質ポリウレタンフォームのボードや合板、あるいはダンボール等だけのある程度の剛性のあるもの、さらには接着性や離型性のシート状の剛性のないものなどが用いられる。
【００２８】
また、縁切り材１８として硬質ポリウレタンフォームに離型用シートあるいは接着用シートが貼られたものを用いる場合、現場で作製することができ、例えばこれらのシート状物に軽量盛土に用いる硬質ポリウレタンフォームを現場で発泡して積層することによって簡単に成形でき、輸送や保管なども容易で非常に都合が良く、必要な厚さのものを簡単に作成できる。
【００２９】
この場合の離型用シートとしては、上記のもののほかポリオレフィンシートや離型紙等が使用でき、接着用シートとしては、ポリオレフィンシートにコロナ処理やプライマー処理したもの、クラフト紙や炭酸カルシウム紙等の紙類シート等が使用できる。もちろん幾種かのシートを積層したものであっても良い。
【００３０】
使用する縁切り材１８は、壁体１３と地山１１との間隔によって現場で発泡充填する硬質ポリウレタンフォーム１９の体積（壁体に対する引っ張り方向の長さ）が異なり、これによって収縮量が変化することから、収縮量が次の第２の硬質ポリウレタンフォーム１９ａを発泡充填するのに必要な隙間が確保できるか否かによって縁切り材１８を取り除いて隙間を拡大する必要があるかどうかによって定めるとともに、縁切り材１８の厚さも定めるようにする。
【００３１】
なお、第２の硬質ポリウレタンフォーム１９ａの発泡充填し易い隙間は、１０〜３００ｍｍであり、好ましくは３０〜１５０ｍｍである。隙間が１０ｍｍより小さいと発泡充填が困難となる場合があり、３００ｍｍより大きいと発泡充填する第２の硬質ポリウレタンフォーム１９ａ自体の収縮によって壁体１３の壁材１５の変形や倒れなどが生じる場合がある。
【００３２】
したがって、硬質ポリウレタンフォーム１９の収縮後に取り除く縁切り材１８の場合には、硬質ポリウレタンフォームのボードや合板、またはダンボール等に離型用シートが張り付けられたものや離型剤を塗布したもの、あるいは離型用シートだけのものを使用し、取り除く縁切り材１８の厚さと収縮による隙間を加えた隙間が上記の範囲となるようにする。
【００３３】
また、硬質ポリウレタンフォーム１９の収縮後に縁切り部材１８及び／または仕切り部材１７を取り除かない場合には、第２の硬質ポリウレタンフォーム１９ａの発泡充填し易い隙間があればそのまま発泡充填しても良い。なお、硬質ポリウレタンフォーム１９の収縮量によっては、第２の硬質ポリウレタンフォーム１９ａの発泡充填を行わなくても良く、硬質ポリウレタンフォーム１９だけで軽量盛土を構成することもできる。
【００３４】
ここでは、図１（ａ）に示すように、仕切り部材１７として硬質ポリウレタンフォームのある程度剛性のある硬質ウレタンボードを用いて支柱１４の外側を囲むようにし、地山１１側にはほとんど隙間無く仕切り部材１７を配置するとともに、これと直交する壁材１５と平行な両側には、例え硬質ポリウレタンフォーム１９の収縮がこの方向に生じても仕切り部材１７を介して支柱１４に収縮力が加わらないような隙間ｄをあけて設置してある。なお、この仕切り部材１７の取り付け前に支柱１４の凹部１４ａに硬質ポリウレタンフォーム１９ｄを発泡充填するようにしても良い。
【００３５】
そして、縁切り材１８として壁材１５の内側に離型性のあるポリエチレンシートが取り付けてある。
【００３６】
こうして支柱１４を囲んで仕切り部材１７を設置するとともに、壁材１５の内側に縁切り材１８を設置した後、図１（ｂ）に示すように、仕切り部材１７および縁切り材１８と地山１１との間に現場発泡で硬質ポリウレタンフォーム１９を１回に３０〜１５０ｍｍ程度の仕上り発泡厚さで層状に発泡成形し、これを数回繰り返して１日分の軽量盛土を、例えば０．５〜１．５ｍ発泡する。
【００３７】
この硬質ポリウレタンフォーム１９の吹き付け後、硬質ポリウレタンフォーム１９が発泡により膨らむが、支柱１４の外側が仕切り部材１７で囲んであるので、硬質ポリウレタンフォーム１９が支柱１４の間に入り込むことが防止され、特にＨ型鋼やＣ型鋼で支柱１４を構成した場合には、入り込んだ硬質ポリウレタンフォーム１９の収縮で支柱１４に変形を与えるような力が加わることも防止することができる。
【００３８】
このような現場発泡の硬質ウレタンフォーム１９は、例えばポリオール成分に、ポリオール、触媒、減粘剤、難燃剤、発泡剤等が配合され、これとポリイソシアネート成分が混合されて発泡・硬化され、その密度を３０〜５０ｋｇ／ｍ３、ＪＩＳ−Ｋ７２２０に準拠した１％歪時の圧縮強度を約５Ｎ／ｃｍ２以上とすることが好ましい。
【００３９】
また、ポリオールはエステル型とエーテル型があるが、耐久性、特に耐加水分解性の点からポリエーテルポリオールが好適に用いられる。ポリイソシアネート成分としては特に制限されないが、一般にはクルードＭＤＩ等の有機ジイソシアネートが用いられる。発泡剤としては、特に制限されないが、水を１００％使用し、フロンを併用しない方が環境対策上好ましい。
【００４０】
こうして１日分の硬質ポリウレタンフォーム１９を現場で発泡充填した後、収縮を生じさせるため、２４時間以上、好ましくは４８時間以上待つ。
【００４１】
２４時間未満では、硬質ポリウレタンフォーム１９の収縮が進行中であり、さらなる収縮が起こるため、次の工程で壁体１３の変形等の問題が生じる恐れがある。
【００４２】
こうして１日分の硬質ポリウレタンフォーム１９を現場で発泡充填した後、２４時間以上、好ましくは４８時間以上待って収縮を生じさせた状態では、図２（ａ）に示すように、支柱１４の外側を囲む仕切り部材１７と硬質ポリウレタンフォーム１９が接着した状態で仕切り部材１７が収縮分だけ地山１１側に移動して壁材１５との間に隙間（第２の硬質ポリウレタンフォーム１９ａが発泡充填される場合がある隙間）が形成されるとともに、壁材１５に仮止めした離型用シートの縁切り材１８が硬質ポリウレタンフォーム１９の収縮分だけ硬質ポリウレタンフォーム１９と一緒に地山１１側に移動して壁材１５との間に隙間（第２の硬質ポリウレタンフォーム１９ａが発泡充填される場合がある隙間）が形成され、さらに、支柱１４と仕切り部材１４との間にも隙間（第２の硬質ポリウレタンフォーム１９ｂが発泡充填される場合がある隙間）が形成される。
【００４３】
この後、図２（ｂ）に示すように、縁切り材１８を取り除く。この場合、縁切り材１８として離型用シートを用いているので硬質ポリウレタンフォーム１９から簡単に取り除くことができ、この結果、収縮による隙間と縁切り材１８の厚さ分とが加わった隙間２０が壁体１３と硬質ポリウレタンフォーム１９との間に形成される。
【００４４】
そして、この収縮による隙間と縁切り材１８の厚さ分とが加わった隙間２０に第２の硬質ポリウレタンフォーム１９ａを現場で発泡充填する。
【００４５】
この第２の硬質ポリウレタンフォーム１９ａは、硬質ポリウレタンフォーム１９と全く同一の性状のもので良く、発泡充填し易い隙間が形成されるので容易に発泡充填作業を行うことができるとともに、この第２の硬質ポリウレタンフォーム１９ａ自体の収縮が生じてもその絶対量が小さく、壁体１３への影響を回避することができる。
【００４６】
このような第２の硬質ポリウレタンフォーム１９ａを壁体１３と仕切り部材１７と第１の硬質ポリウレタンフォーム１９との間に発泡充填することで、壁体１３の支柱１４および壁材１５の変形や倒れを生じさせること無くこれらを接着一体化することができ、仕切り部材１７として硬質ウレタンボードを用いることで、これと第２の硬質ポリウレタンフォーム１９ａとも接着一体化することもできる。
なお、第２の硬質ポリウレタンフォーム１９ａの発泡充填の際に支柱１４の凹部１４ａにも発泡充填するようにしたり、支柱１４と仕切り部材１７あるいは仕切り部材１７を取り除いた部分との隙間に第２の硬質ポリウレタンフォーム１９ｂを発泡充填しても良く、これらを組み合わせて硬質ポリウレタンフォーム１９ａ，１９ｂを発泡充填したり、それぞれを単独に硬質ポリウレタンフォーム１９ａだけあるいは、硬質ポリウレタンフォーム１９ｂだけを発泡充填するようにしても良い。
【００４７】
こうして１日分の高さに相当する硬質ポリウレタンフォーム１９，１９ａの軽量盛土が完成した後、図示省略したが、この上に同様の工程を繰り返し、最終的に図３（ｂ）に示すように、所定高さの硬質ポリウレタンフォーム１９，１９ａの軽量盛土を形成する。
なお、硬質ポリウレタンフォーム１９の収縮量によっては、第２の硬質ポリウレタンフォーム１９ａの発泡充填を行わずに１日分の高さに相当する硬質ポリウレタンフォーム１９の盛土を完成し、同様の工程を繰り返して所定高さの硬質ポリウレタンフォーム１９だけで軽量盛土を形成することもできる。
【００４８】
このようにして施工された硬質ポリウレタンフォーム１９，１９ａの軽量盛土や図示省略した硬質ポリウレタンフォーム１９だけの軽量盛土、硬質ポリウレタンフォーム１９，１９ｂの軽量盛土、あるいは硬質ポリウレタンフォーム１９，１９ａ，１９ｂの軽量盛土には、図３（ａ）に示すように、溶接鉄筋２１が入れられたコンクリート床版２２が形成され、路盤２３、表層２４などが形成されて道路の拡幅が完成する。
【００４９】
このような軽量盛土の施工方法によれば、支柱１４の外側を囲んで硬質ポリウレタンフォーム１９の入り込みを防止する硬質ウレタンボードの仕切り部材１７を設けるようにしたので、硬質ポリウレタンフォーム１９が支柱１４部分に入り込まないようにでき、硬質ポリウレタンフォーム１９の収縮の影響が支柱１４に及ばないようにすることができる。
【００５０】
また、硬質ポリウレタンフォーム１９が接着しない（全く接着しないか、接着しても剥がせる）縁切り材１８を壁材１５の内側面に接触して設けて体積の大きい（壁体１３に対する引っ張り方向の長さの長い）硬質ポリウレタンフォーム１９の発泡充填を行うことで収縮の影響が壁材１５に及ばないようにでき、収縮によって形成された隙間、あるいはこの隙間に縁切り材１８を取り除くことで形成された隙間を加えた隙間２０に、体積の極小さい（壁体に対する引っ張り方向の長さの極短い）第２の硬質ポリウレタンフォーム１９ａを発泡充填して硬質ポリウレタンフォーム１９，１９ａ全体と壁体１３を接着一体化した軽量盛土を施工することができる。
【００５１】
なお、上記実施の形態では、縁切り材を取り除いた隙間と収縮によって形成された隙間とを加えた隙間に第２の硬質ポリウレタンフォームを発泡充填するようにしたが、離型用シートで構成した縁切り材をそのまま埋設するようにしても良く、より一層施工が容易となる。
【００５２】
さらに、上記実施の形態では、硬質ポリフレタンフォームを発泡充填後、所定時間収縮を待って第２の硬質ポリウレタンフォームを発泡充填する場合に、縁切り材のみを取り除き仕切り部材をそのままにして第２の硬質ポリウレタンフォームを発泡充填するようにしたが、これに限らず仕切り部材を取り除くようにして第２の硬質ポリウレタンフォームを発泡充填したり、仕切り部材をそのまま残す場合にも仕切り部材の支柱側の支柱との隙間にも第２の硬質ポリウレタンフォームを発泡充填するようにしても良く、さらにこれらを単独あるいは組み合わせて第２の硬質ポリウレタンフォームを発泡充填するようにしても良く、より一層強固に壁体および支柱と第２の硬質ポリウレタンフォームとを接着一体化することができる。
【００５３】
また、上記実施の形態では、軽量盛土の一方のみが壁体で構成される場合で説明したが、これに限らず両方等である場合にも同様にこの施工方法を適用することができる。
【００５４】
【発明の効果】
以上、一実施の形態とともに具体的に説明したようにこの発明の請求項１記載の軽量盛土の施工方法によれば、壁体と、硬質ポリウレタンフォームからなる軽量盛土と、前記壁体を軽量盛土側で支える支柱とからなる軽量盛土構造を構築するに際し、前記壁体を支える前記支柱の軽量盛土側を囲んで仕切り部材を設けるとともに、前記壁体の軽量盛土側の面、又は前記壁体の軽量盛土側の面及び前記仕切り部材を覆うように縁切り材を設け、前記仕切り部材及び前記縁切り材の前記軽量盛土側、又は前記縁切り材の前記軽量盛土側に前記軽量盛土となる硬質ポリウレタンフォームを発泡充填したので、支柱の外側（軽量盛土側）を囲んだ仕切り部材で硬質ポリウレタンフォームが支柱部分に入り込まないようにして収縮の影響が支柱に及ばないようにすることができるとともに、壁体の軽量盛土側の面、又は壁体の軽量盛土側の面及び仕切り部材を覆うように設けた縁切り材で硬質ポリウレタンフォームが接着しないように（全く接着しないか、接着しても剥がせるように）でき、これら仕切り部材及び縁切り材の軽量盛土側、又は縁切り材の軽量盛土側に、軽量盛土となる硬質ポリウレタンフォームを発泡充填して壁体及び支柱とこの硬質ポリウレタンフォームとが接着しないようにすることで、体積の大きい（壁体に対する引っ張り方向の長さの長い）硬質ポリウレタンフォームの収縮の影響が壁体及び支柱に及ばないようにできる。
【００５５】
また、この発明の請求項２記載の軽量盛土の施工方法によれば、壁体を支える支柱を設けた後、仕切り部材を設ける前に当該支柱の凹部に硬質ポリウレタンフォームを発泡充填するようにしたので、ことを特徴とするものであり、あらかじめ支柱の凹部に硬質ポリウレタンフォームを発泡充填することで、支柱部分の隙間をなくすことができ、しかも小さな空間の凹部への発泡充填も容易に行うことができる。
【００５６】
さらに、この発明の請求項３記載の軽量盛土の施工方法によれば、前記硬質ポリウレタンフォームを発泡充填したのち、この硬質ポリウレタンフォームの収縮によって形成された隙間、あるいはこの収縮によって形成された隙間に縁切り材及び／または仕切り部材を取り除くことで形成された隙間を加えた隙間に、体積の極小さい（壁体に対する引っ張り方向の長さの極短い）第２の硬質ポリウレタンフォームを発泡充填したので、硬質ポリウレタンフォーム全体と壁体とを、より一層強固に接着一体化することができる。
【００５７】
また、この発明の請求項４記載の軽量盛土の施工方法によれば、前記仕切り部材を硬質ウレタンボードで構成する一方、前記縁切り材をポリエチレンシートで構成するようにしたので、仕切り部材を発泡充填する硬質ポリウレタンフォームと同一の素材とすることで軽量盛度全体を均一な素材にすることができ、縁切り材をポリエチレンシートとすることで取付施工を容易とするとともに、硬質ポリウレタンフォームからの剥離も容易とし、第２の硬質ポリウレタンフォームの発泡充填への準備を簡単に行うことができる。
【図面の簡単な説明】
【図１】この発明の軽量盛土の施工方法の一実施の形態にかかる前半の２工程の説明図である。
【図２】この発明の軽量盛土の施工方法の一実施の形態にかかる中間の２工程の説明図である。
【図３】この発明の軽量盛土の施工方法の一実施の形態にかかる最終工程の説明図である。
【符号の説明】
１１  地山
１２  地盤
１３  壁体
１４  支柱
１４ａ  凹部
１５  壁材
１６  排水層
１７  仕切り部材
１８  縁切り材
１９  硬質ポリウレタンフォーム
１９ａ，１９ｂ  第２の硬質ポリウレタンフォーム
１９ｃ  支柱の凹部の硬質ポリウレタンフォーム
２０  隙間
２１  溶接鉄筋
２２  コンクリート床盤
２３  路盤
２４  表層
ｄ    支柱と仕切り部材との隙間
【図１】
2004225495.tif 000003
【図２】
2004225495.tif 000004
【図３】
2004225495.tif 000005